(57)【要約】【課題】  通気機能及び防水機能を有すると共に、片流れ屋根に容易に取り付けることの出来る換気棟を提供する。【解決手段】  換気棟１は、片流れ屋根７上に設置された棟板部材１０と、棟板部材１０の下面に取り付けられた幅方向の断面が台形形状の換気部材２０とから主に構成されている。棟板部材１０は、屋根材７２から所定距離離れた傾斜部１１と、外壁７１の外方側に位置する垂下部１５とを備えている。換気部材２０は、幅方向に貫通する多数の通気孔を有しており、その上底より長い下底に対応する面が傾斜部１１の下方側に位置するように、プレート部材３１によって傾斜部１１に取り付けられている。このように、換気棟１においては、片流れ屋根７に対応した形状の棟板部材１０に換気部材２０が一体化された状態となっている。従って、換気棟１の片流れ屋根７への取り付けが容易になると共に、通気機能及び防水機能の信頼性が向上する。【選択図】  図６
2011252361.tif 000002
【特許請求の範囲】
【請求項１】
垂直下方に延びる外壁と、その頂点側部分に開口が形成された斜め下方に延びる屋根材とを有する片流れ屋根に設置する換気棟であって、
前記屋根材に対して所定距離離れた平行状態で幅方向に向かって斜め下方に延びる、長手方向に平行な換気口が形成された傾斜部と、前記外壁の外方側にシール状態で設置され、前記傾斜部の頂点から垂直下方に延びる垂下部とを有する棟板部材と、
前記傾斜部の下面における前記換気口と前記開口の上方に対応する部分との間に取り付けられ、前記幅方向の断面が四角形形状を有すると共に前記長手方向に延びる棒形状を有し、前記幅方向に一方の側面から他方の側面へ貫通する複数の通気孔を有する換気部材と、
前記換気部材と前記屋根材との間に設けられ、これらの間を遮水するシール手段とを備えた、換気棟。
【請求項２】
前記シール手段は、
前記換気部材の下面に接するように前記長手方向に延びると共に、その両端部において前記棟板部材から支持されるプレート部材と、
前記プレート部材の下面と前記屋根材との間に設置され、前記長手方向に延びるシール部材とを含む、請求項１記載の換気棟。
【請求項３】
前記開口は前記長手方向に延びる矩形形状を有し、
前記開口の前記頂点の側の縁部と前記傾斜部の下面との間のスペースを前記長手方向に沿って塞ぐ塞ぎ部材を更に備え、
前記換気部材は、前記幅方向の断面が台形形状を有し、その上底より長い下底に対応する面が前記傾斜部の下面側に位置するように取り付けられる、請求項１又は請求項２記載の換気棟。
【請求項４】
前記塞ぎ部材は、前記傾斜部の下面を支持する構造を有する、請求項３記載の換気棟。
【請求項５】
前記塞ぎ部材と前記換気部材との間における前記傾斜部の下面に取り付けられた断熱材を更に備えた、請求項３又は請求項４記載の換気棟。
【請求項６】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２３ｍｍである、請求項１から請求項５のいずれかに記載の換気棟。
【発明の詳細な説明】
【技術分野】
【０００１】
この発明は換気棟に関し、特に、家屋における小屋裏空間の自然換気を図るために、片流れ屋根に取り付けられる換気棟に関するものである。
【背景技術】
【０００２】
図９は特許文献１で開示された換気棟の外観形状を示した平面図であり、図１０は図９で示したＸ−Ｘラインの断面図であって、換気棟の屋根材への取付状態を示したものである。
【０００３】
これらの図を参照して、換気棟６０は、棟板部材６１と、棟板部材６１の下面に取り付けられた一対の換気部材６２ａ、６２ｂとによって主に構成されている。棟板部材６１は、頂点から幅方向（図９の上下方向）に向かって斜め下方に延びる傾斜部６４ａ、６４ｂを備えており、傾斜部６４ａ、６４ｂの各々にはその長手方向（図９の左右方向）に平行に延びる換気口６５が複数形成されている。そして、傾斜部６４ａ、６４ｂの各々の下面であって、頂点と換気口６５の各々との間のスペースに換気部材６２ａ、６２ｂが取り付けられている。
【０００４】
換気部材６２ａ、６２ｂの各々は、幅方向の断面が台形形状に形成されていると共に、幅方向において一方の側面から他方の側面へ貫通する複数の図示しない通気孔が形成されている。そして、換気部材６２ａ、６２ｂの各々は、その上底より長い下底に対応する面が棟板部材６１の傾斜部６４ａ、６４ｂの各々の下面側に位置するように取り付けられている。尚、換気部材６２ａ、６２ｂの各々は、特許文献２で開示された棟カバー材と基本的に同一構造であるため、一定条件下にあっては図示しない通気孔を介しての通気性能及び防水性能を発揮することが出来る。
【０００５】
このように構成された換気棟６０は、ほぼ山形形状でその中央部が開口された形状の屋根材６７上に設置した後、固定釘６９によって屋根材６７に固定する。この時、換気部材６２ａ、６２ｂにおける台形断面形状の下底に対応する面が傾斜部６４ａ、６４ｂの各々の下面側に取り付けられているため、これらの中央側下方のスペースが拡大する。従って、設置時において屋根材６７の捨水切６８と緩衝する虞が少なくなるため、換気棟６０の設置が容易となる。
【０００６】
換気棟６０は、通気状態にあっては、図１０の矢印で示されているように屋根材６７の中央部において捨水切６８の間から上昇した空気は、換気部材６２ａ、６２ｂの各々の通気孔を介して内方側から外方側に通過する。そして、通過した空気は傾斜部６４ａ、６４ｂの各々に形成されている換気口６５の各々を介して外方に排出される。
【０００７】
又、雨水は主に換気口６５の各々を介して傾斜部６４ａ、６４ｂの下方に浸入する。そして、上述した通り換気部材６２ａ、６２ｂは、浸入した雨水が換気部材６２ａ、６２ｂの各々の通気孔を介しては内方側に移動出来ないように構成されている。従って、通気機能及び防水機能を有する換気棟６０となる。
【０００８】
図１１は特許文献１で開示された他の換気棟の屋根材への取付状態を示す図であって、図１０に対応するものである。
図を参照して、換気棟７０の基本的な構造は、図１０で示した換気棟６０と同様であるので、相違点を中心に説明する。換気棟７０においては、換気部材６２ａ、６２ｂの取付状態が異なっている。即ち、換気部材６２ａ、６２ｂの各々の上底に対応する面が棟板部材６１の傾斜部６４ａ、６４ｂの各々の下面に位置するように取り付けられている。従って、換気部材６２ａ、６２ｂの各々に形成されている通気孔の長さは下方に行くに従って長くなることになる。そして、上述した外方から浸入した雨水は、換気棟７０の内部の下方側（屋根材６７側）に多く存在することになるため、換気部材６２ａ、６２ｂの防水機能をより効率的に発揮することが出来る。
【先行技術文献】
【特許文献】
【０００９】
【特許文献１】特開２００６−９２９３号公報
【特許文献２】特許第２６１０３４２号公報
【発明の概要】
【発明が解決しようとする課題】
【００１０】
上記のような図１１で示した換気棟では、通気機能及び防水機能については問題無いが、その設置形態について問題があった。即ち、図１１で示した換気棟においては、山形形状の所謂切妻屋根に対してのみ設置出来る形状であり、片流れ屋根に対しては設置出来ない形状となっていた。
【００１１】
この発明は、上記のような課題を解決するためになされたもので、通気機能及び防水機能を有すると共に、片流れ屋根に容易に取り付けることの出来る換気棟を提供することを目的とする。
【課題を解決するための手段】
【００１２】
上記の目的を達成するために、請求項１記載の発明は、垂直下方に延びる外壁と、その頂点側部分に開口が形成された斜め下方に延びる屋根材とを有する片流れ屋根に設置する換気棟であって、屋根材に対して所定距離離れた平行状態で幅方向に向かって斜め下方に延びる、長手方向に平行な換気口が形成された傾斜部と、外壁の外方側にシール状態で設置され、傾斜部の頂点から垂直下方に延びる垂下部とを有する棟板部材と、傾斜部の下面における換気口と開口の上方に対応する部分との間に取り付けられ、幅方向の断面が四角形形状を有すると共に長手方向に延びる棒形状を有し、幅方向に一方の側面から他方の側面へ貫通する複数の通気孔を有する換気部材と、換気部材と屋根材との間に設けられ、これらの間を遮水するシール手段とを備えたものである。
【００１３】
このように構成すると、換気部材は棟板部材に一体化される。
【００１４】
請求項２記載の発明は、請求項１記載の発明の構成において、シール手段は、換気部材の下面に接するように長手方向に延びると共に、その両端部において棟板部材から支持されるプレート部材と、プレート部材の下面と屋根材との間に設置され、長手方向に延びるシール部材とを含むものである。
【００１５】
このように構成すると、換気部材が保護され、シール性が安定する。
【００１６】
請求項３記載の発明は、請求項１又は請求項２記載の発明の構成において、開口は長手方向に延びる矩形形状を有し、開口の頂点の側の縁部と傾斜部の下面との間のスペースを長手方向に沿って塞ぐ塞ぎ部材を更に備え、換気部材は、幅方向の断面が台形形状を有し、その上底より長い下底に対応する面が傾斜部の下面側に位置するように取り付けられるものである。
【００１７】
このように構成すると、換気部材を通過する気流の速度は上底側より下底側において増加する。
【００１８】
請求項４記載の発明は、請求項３記載の発明の構成において、塞ぎ部材は、傾斜部の下面を支持する構造を有するものである。
【００１９】
このように構成すると、塞ぎ部材で支持された部分の棟板部材の強度が向上する。
【００２０】
請求項５記載の発明は、請求項３又は請求項４記載の発明の構成において、塞ぎ部材と換気部材との間における傾斜部の下面に取り付けられた断熱材を更に備えたものである。
【００２１】
このように構成すると、気流による棟板部材からの結露が防止される。
【００２２】
請求項６記載の発明は、請求項１から請求項５のいずれかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２３ｍｍであるものである。
【００２３】
このように構成すると、一定要件下における水の浸入が確実に阻止される。
【発明の効果】
【００２４】
以上説明したように、請求項１記載の発明は、換気部材は棟板部材に一体化されるため、換気棟の片流れ屋根への取付が容易になると共に通気機能及び防水機能の信頼性が向上する。
【００２５】
請求項２記載の発明は、請求項１記載の発明の効果に加えて、換気部材が保護され、シール性が安定するため、設置状態の信頼性が向上する。
【００２６】
請求項３記載の発明は、請求項１又は請求項２記載の発明の効果に加えて、換気部材を通過する気流の速度は上底側より下底側において増加するため、換気部材の遮水性能が効率的に発揮される。
【００２７】
請求項４記載の発明は、請求項３記載の発明の効果に加えて、塞ぎ部材で支持された部分の棟板部材の強度が向上するため、換気棟の取付状態が安定する。
【００２８】
請求項５記載の発明は、請求項３又は請求項４記載の発明の効果に加えて、気流による棟板部材からの結露が防止されるため、結露による水滴の落下防止により信頼性が向上する。
【００２９】
請求項６記載の発明は、請求項１から請求項５のいずれかに記載の発明の効果に加えて、一定要件下における水の浸入が確実に阻止されるため、換気棟の軽量化及びコスト低減に寄与する。
【図面の簡単な説明】
【００３０】
【図１】この発明の第１の実施の形態による換気棟の外観形状を示した平面図である。
【図２】図１で示したＩＩ−ＩＩラインの拡大断面図である。
【図３】図２で示したＩＩＩ−ＩＩＩラインの断面図である。
【図４】図２で示した換気部材の外観形状を示した概略斜視図である。
【図５】図１で示した換気棟の片流れ屋根への取付け前の状態を示した概略分解端面図である。
【図６】図１で示した換気棟の片流れ屋根への取付け状態を示した概略端面図である。
【図７】図１で示した換気棟内の気流の状態を示す概略端面図である。
【図８】この発明の第２の実施の形態による換気棟を示す概略端面図である。
【図９】従来の換気棟の外観形状を示した平面図である。
【図１０】図９で示したＸ−Ｘラインの断面図である。
【図１１】従来の他の換気棟の屋根材への取付状態を示す図である。
【発明を実施するための形態】
【００３１】
図１はこの発明の第１の実施の形態による換気棟の外観形状を示した平面図であり、図２は図１で示したＩＩ−ＩＩラインの拡大断面図であり、図３は図２で示したＩＩＩ−ＩＩＩラインの断面図である。
【００３２】
これらの図を参照して、換気棟１は、鋼板のプレス加工によって形成された棟板部材１０と、棟板部材１０の下面に取り付けられた換気部材２０とから主に構成されている。
【００３３】
棟板部材１０は、幅方向（図１の上下方向）に向かって斜め下方に延びる傾斜部１１と、傾斜部１１の頂点４１から垂直下方に延びる垂下部１５とを備えている。又、傾斜部１１の下方側には、長手方向（図１の左右方向）に平行な換気口４２が複数形成されていると共に、後述する固定釘等を挿通させるための取付孔４３が長手方向に複数形成されている。更に、傾斜部１１の下方端にはほぼ垂直下方に延びる垂直部１２が接続されていると共に、垂直部１２の下方端には、傾斜部１１とほぼ平行に外方に延びる第１フランジ部１３が接続されている。
【００３４】
又、垂下部１５の下方端にはほぼ水平に内方側に延びる水平部１６が接続されていると共に、水平部１６の内方端には、垂下部１５とほぼ平行に下方に延びる第２フランジ部１７が接続されている。更に、水平部１６の上面及び垂下部１５の内面に沿うように、幅方向の断面が矩形状の長手方向に延びる棒形状の桟木５１が、水平部１６の上面にボルト５２によって取り付けられている。更に、第２フランジ部１７の下方側の内面には、長手方向に延びる弾性体等よりなるシール部材５３が取り付けられている。
【００３５】
換気部材２０は、幅方向の断面が台形形状を有すると共に長手方向に延びる棒形状に形成されている。そして、その上底より長い下底に対応する面が傾斜部１１の下面側に位置するように傾斜部１１に取り付けられている。換気部材２０の詳細な構造及び効果については後述する。
【００３６】
又、換気棟１は、換気部材２０の下方側に配置された、鋼板のプレス加工によって形成されたプレート部材３１と、プレート部材３１の上方側の下面に設置された、長手方向に延びる弾性体等よりなるシール部材３５とからなるシール手段を更に備えている。プレート部材３１は、換気部材２０の下面に接するように配置された長手方向に延びるプレート板３２と、プレート板３２の両端部の各々を棟板部材１０の傾斜部１１に固定するための断面Ｓ字状の固定板３３とから構成されている。尚、プレート板３２の上方側の端部には水切部３７が形成されている。又、固定板３３の各々は、その下面が換気部材２０の下方側に配置されると共に、その上面がボルト３８によって傾斜部１１に取り付けられている。
【００３７】
又、後述する塞ぎ部材と換気部材２０との間における傾斜部１１の下面には断熱材１９が取り付けられている。
【００３８】
次に、換気部材２０の詳細な構造について説明する。
【００３９】
図４は図２で示した換気部材の外観形状を示した概略斜視図である。
【００４０】
図を参照して、上述した通り、換気部材２０は幅方向の断面が台形形状を有し、長手方向に対しては棟板部材の傾斜部の長手方向の長さとほぼ同一長さを有する棒形状を有している。具体的には、換気部材２０は各々が凹凸断面形状を有する合成樹脂シートを複数積層した状態で熱融着によって相互に接続して一体化されている。そして、一方の側壁から他方の側壁へ貫通する通気孔２１が多数形成されている。
【００４１】
この実施の形態においては、台形断面形状の上底に対応する下面２４の幅方向の長さＡは２３ｍｍであり、下底に対応する上面２３の幅方向の長さＢは４０ｍｍであり、台形形状の高さに相当する長さＣは１８ｍｍとなっている。又、通気孔２１はほぼ１ｍｍ×４ｍｍの長方形形状の開口寸法に設定されている。尚、このような換気部材２０は従来例と同様に特許文献２において開示されている棟カバー材と基本的に同一構造である。これによって一定条件下にあっては、換気部材２０は通気孔２１を介しての通気を可能にすると共に、通気孔２１を介しての雨水の浸入を阻止する通気性能及び防水性能を発揮するものとなる。そして、このような換気部材２０を使用することによって、換気棟の軽量化及びコスト削減に寄与することになる。
【００４２】
このように、図１で示した換気棟１は、主に棟板部材１０と通気性能及び防水性能を発揮する換気部材２０とを一体化したものである。
【００４３】
次に、図１で示した換気棟１の屋根材への取付けについて説明する。
【００４４】
図５は図１で示した換気棟の片流れ屋根への取付け前の状態を示した概略分解端面図である。
【００４５】
図を参照して、片流れ屋根７は、垂直下方に延びる外壁７１と、その頂点側部分に長手方向に延びる矩形形状の開口７３が形成された斜め下方に延びる屋根材７２とを有している。具体的には、屋根材７２は、図示しない垂木の上に設置された野地板８５と、野地板８５の上面に布設された防水紙８６と、防水紙８６の上に設置された下葺材８７と、下葺材８７の上に設置された平板瓦８８とから構成されている。又、開口７３の下方側の縁部に設けられた捨水切７５と、開口７３の上方側の縁部に設けられた断面逆Ｃ字状の塞ぎ部材７６とは、防水紙８６の上に取り付けられ、その状態で下葺材８７が設置されるものである。
【００４６】
このように構成された片流れ屋根７に、換気棟１を片流れ屋根７を覆うように上方から降下させる。すると、プレート部材３１及びシール部材３５が、開口７３より下方側の屋根材７２上に設置されると共に、第１フランジ部１３が屋根材７２上に設置される。即ち、プレート部材３１とシール部材３５とによって、換気部材２０と屋根材７２との間が遮水される。更に、棟板部材１０の傾斜部１１の下面が塞ぎ部材７６の上面上に設置される。更に、垂下部１５、水平部１６及び第２フランジ部１７が、外壁７１の外方側に位置し、桟木５１とシール部材５３とが外壁７１に当接状態となる。
【００４７】
このようにして片流れ屋根７上に換気棟１を設置すると、図６で示す状態となる。
【００４８】
図６は図１で示した換気棟の片流れ屋根への取付け状態を示した概略端面図である。
【００４９】
図を参照して、換気棟１を片流れ屋根７に取り付ける際には、図１で示した傾斜部１１の取付孔４３の各々の下方側に防水パッキン４４を取り付けた状態で固定釘４５を挿入し、打ち込む。更に、第２フランジ部１７においては、シール部材５３を貫通するように外方側から外壁７１に向かって固定釘４６を打ち込む。このようにして、換気棟１を外壁７１及び屋根材７２に固定する。すると、換気棟１の片流れ屋根７への取付けが完了する。
【００５０】
上述した通り、通気性能及び防水性能を有する換気部材２０は、片流れ屋根７の形状に対応した棟板部材１０に一体化された状態となっている。そのため、換気棟１の片流れ屋根７への取り付けが容易になると共に、通気機能及び防水機能の信頼性が向上する。
【００５１】
又、シール手段であるプレート部材３１とシール部材３５とによって、換気部材２０が保護されると共に、換気部材２０と屋根材７２との間のシール性が安定する。従って、換気部材２０の耐久性が向上すると共に、換気棟１の設置状態の信頼性が向上する。
【００５２】
更に、棟板部材１０の傾斜部１１は塞ぎ部材７６の上面上に設置されているため、塞ぎ部材７６で支持された部分の傾斜部１１の強度が向上する。従って、換気棟１の片流れ屋根７への取付状態が安定する。
【００５３】
更に、棟板部材１０の傾斜部１１の下面に取り付けられた断熱材１９は、上述した通り塞ぎ部材７６と換気部材２０との間に位置するように取り付けられている。従って、気流による棟板部材１０からの結露が防止される。そのため、屋根材７２の開口７３を介しての小屋裏空間への水滴の落下が阻止されるので、換気棟１の信頼性が向上する。
【００５４】
そして、通気状態にあっては、矢印で示されているように屋根材７２の開口７３から上昇した空気は、塞ぎ部材７６の効果によって換気部材２０側へのみ移動する。その後、換気部材２０の通気孔を介して外方側に通過する。そして、換気部材２０を通過した空気は傾斜部１１の換気口４２の各々を介して外方に排出される。
【００５５】
一方、雨水は主に換気口４２の各々を介して傾斜部１１の下方に浸入する。浸入した雨水は上述した通り換気部材２０の通気孔を介しては内方側に移動することが出来ないように構成されている。従って、浸入した雨水は、プレート部材３１の上面を介して第１フランジ部１３の下面と屋根材７２の上面との間の隙間から外方に流れ出ることになる。
【００５６】
ここで、換気部材２０の形状による更なる防水効果について説明する。
【００５７】
図７は図１で示した換気棟内の気流の状態を示す概略端面図である。
【００５８】
図を参照して、矢印で示すように、換気口４２を介して外方から侵入した空気は、換気部材２０の通気孔を介して内方側へと移動する。そして、内方側へ移動した空気は屋根材７２の開口７３を介して小屋裏空間へと移動することになる。この時、内方側へ移動した空気は塞ぎ部材７６より上方側へは移動出来ないため、ほぼ全ての空気が開口７３内へと移動することになる。即ち、塞ぎ部材７６によって、換気部材２０から開口７３に向かう気流は、あたかも直角ダクト内を通過する状態になる。
【００５９】
そのため、換気棟１内の上方と下方とを流れる空気の各々は、開口７３を介して小屋裏空間に到達するまでの移動距離が異なる。即ち、下方側を流れる空気より、上方側を流れる空気のほうが小屋裏空間まで長い距離を移動することになる。従って、上方側の気流の速度Ｖ１は、下方側の気流の速度Ｖ２より増加する。即ち、換気部材２０の下底側（上面側）を通過する気流の速度Ｖ１は、上底側（下面側）を通過する気流の速度Ｖ２より大きくなることになる。従って、換気口４２を介して浸入してきた雨水が換気部材２０の通気孔を通過しようとする時、速度Ｖ１を有する上面側の気流によって移動する雨水は、速度Ｖ２を有する下面側の気流によって移動する雨水より速く移動することになる。
【００６０】
そして、上述した通り、換気部材２０はその上底より長い下底に対応する面（上面）が棟板部材１０の傾斜部１１の下面側に位置するように取り付けられている。従って、換気部材２０の各々に形成されている通気孔の長さは上方に行くに従って長くなることになる。即ち、上方に行くに従って防水機能が高くなるため気流の速度分布に対応し、換気部材２０の遮水性能が効率的に発揮される。
【００６１】
図８はこの発明の第２の実施の形態による換気棟を示す概略端面図であって、第１の実施の形態の図６に対応するものである。
【００６２】
図を参照して、この実施の形態による換気棟２の基本的な構造は、図１で示した換気棟１と同様であるので、相違点を中心に説明する。この実施の形態においては、塞ぎ部材７７が木材によって構成されている点が相違している。塞ぎ部材７７は、幅方向の断面が矩形形状に形成されていると共に、開口７３の頂点４１側の縁部に沿って長手方向に延びる棒形状に形成されている。このような塞ぎ部材７７は、その材質が木材であるため加工し易いと共に屋根材７２上に設置するのみであるため、工事期間の短縮及びコスト的に有利となる。尚、塞ぎ部材７７によっても、気流の分布状態は先の実施の形態と何ら変わらない。
【００６３】
尚、上記の各実施の形態では、片流れ屋根の構造を特定しているが、垂直下方に延びる外壁と、その頂点側部分に開口が形成された斜め下方に延びる屋根材とを有する構造であれば、他の構造であっても同様に適用出来る。
【００６４】
又、上記の各実施の形態では、棟板部材の傾斜部の下方端には垂直部及び第１フランジ部が接続されているが、傾斜部の設置状態が保持出来れば、垂直部及び第１フランジ部は無くても良い。
【００６５】
更に、上記の各実施の形態では、棟板部材は垂下部、水平部及び第２フランジ部を備えているが、垂下部が屋根材の外壁にシール状態で設置されていれば、水平部及び第２フランジ部は無くても良い。
【００６６】
更に、上記の各実施の形態では、換気部材の寸法、形状を特定しているが、同様の通気性能及び防水性能を発揮するものであって、幅方向の断面が四角形形状を有していれば、他の寸法、形状であっても良い。この場合、特許文献２の明細書に記載されている風雨試験と同一の条件で同一の効果を奏するものであることが好ましい。
【００６７】
更に、上記の各実施の形態では、シール手段はプレート部材とシール部材とによって構成されているが、換気部材と屋根材との間を遮水するものであれば、他の形状及び部材で構成されていても良い。
【００６８】
更に、上記の各実施の形態では、プレート部材はプレート板と固定板とによって構成されているが、換気部材の下面に接するように長手方向に延びると共に、その両端部において棟板部材から支持されるものであれば、他の形状及び部材で構成されていても良い。
【００６９】
更に、上記の各実施の形態では、屋根材の開口は長手方向に延びる矩形形状に形成されているが、例えば複数の矩形形状の開口が整列する不連続形状等、他の開口形状に形成されていても良い。
【００７０】
更に、上記の各実施の形態では、特定形状の塞ぎ部材を備えているが、塞ぎ部材は屋根材の開口の頂点側の縁部と傾斜部の下面との間のスペースを長手方向に沿って塞ぐものであれば、他の形状であっても良い。その場合、塞ぎ部材は傾斜部の下面を支持するような構造で無くても良い。又は、塞ぎ部材は無くても良い。
【００７１】
更に、上記の各実施の形態では、傾斜部の下面に断熱材が取り付けられているが、断熱材は無くても良い。
【符号の説明】
【００７２】
１、２…換気棟
７…片流れ屋根
１０…棟板部材
１１…傾斜部
１５…垂下部
１９…断熱材
２０…換気部材
２１…通気孔
３１…プレート部材
３５…シール部材
４１…頂点
４２…換気口
７１…外壁
７２…屋根材
７３…開口
７６、７７…塞ぎ部材
尚、各図中同一符号は同一又は相当部分を示す。
【図１】
2011252361.tif 000003
【図２】
2011252361.tif 000004
【図３】
2011252361.tif 000005
【図４】
2011252361.tif 000006
【図５】
2011252361.tif 000007
【図６】
2011252361.tif 000008
【図７】
2011252361.tif 000009
【図８】
2011252361.tif 000010
【図９】
2011252361.tif 000011
【図１０】
2011252361.tif 000012
【図１１】
2011252361.tif 000013
【手続補正書】
【提出日】平成23年4月1日(2011.4.1)
【手続補正１】
【補正対象書類名】明細書
【補正対象項目名】００１２
【補正方法】変更
【補正の内容】
【００１２】
上記の目的を達成するために、請求項１記載の発明は、垂直下方に延びる外壁と、その頂点側部分に開口が形成された斜め下方に延びる屋根材とを有する片流れ屋根に設置する換気棟であって、屋根材に対して所定距離離れた平行状態で幅方向に向かって斜め下方に延びる、長手方向に平行な換気口が形成された傾斜部と、外壁の外方側にシール状態で設置され、傾斜部の頂点から垂直下方に延びる垂下部とを有する棟板部材と、傾斜部の下面における換気口と開口の上方に対応する部分との間に取り付けられ、幅方向の断面が四角形形状を有すると共に長手方向に延びる棒形状を有し、幅方向に一方の側面から他方の側面へ貫通する複数の通気孔を有する換気部材と、換気部材と屋根材との間に設けられ、これらの間を遮水するシール手段とを備え、シール手段は、換気部材の下面に接するように長手方向に延びると共に、その両端部において棟板部材から支持されて固定されるプレート部材と、プレート部材の下面に設置され、長手方向に延びるシール部材とを含み、棟板部材、換気部材及びシール手段は、一体化状態で屋根材に設置されるものである。
【手続補正２】
【補正対象書類名】明細書
【補正対象項目名】００１３
【補正方法】変更
【補正の内容】
【００１３】
このように構成すると、換気部材及びシール部材は棟板部材に一体化される。又、換気部材が保護され、シール性が安定する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項２記載の発明は、請求項１記載の発明の構成において、開口は長手方向に延びる矩形形状を有し、開口の頂点の側の縁部と傾斜部の下面との間のスペースを長手方向に沿って塞ぐ塞ぎ部材を更に備え、換気部材は、幅方向の断面が台形形状を有し、その上底より長い下底に対応する面が傾斜部の下面側に位置するように取り付けられるものである。
【手続補正６】
【補正対象書類名】明細書
【補正対象項目名】００１８
【補正方法】変更
【補正の内容】
【００１８】
請求項３記載の発明は、請求項２記載の発明の構成において、塞ぎ部材は、傾斜部の下面を支持する構造を有するものである。
【手続補正７】
【補正対象書類名】明細書
【補正対象項目名】００２０
【補正方法】変更
【補正の内容】
【００２０】
請求項４記載の発明は、請求項２又は請求項３記載の発明の構成において、塞ぎ部材と換気部材との間における傾斜部の下面に取り付けられた断熱材を更に備えたものである。
【手続補正８】
【補正対象書類名】明細書
【補正対象項目名】００２２
【補正方法】変更
【補正の内容】
【００２２】
請求項５記載の発明は、請求項１から請求項４のいずれかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２３ｍｍであるものである。
【手続補正９】
【補正対象書類名】明細書
【補正対象項目名】００２４
【補正方法】変更
【補正の内容】
【００２４】
以上説明したように、請求項１記載の発明は、換気部材及びシール手段は棟板部材に一体化されるため、換気棟の片流れ屋根への取付が容易になると共に通気機能及び防水機能の信頼性が向上する。又、換気部材が保護され、シール性が安定するため、設置状態の信頼性が向上する。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
請求項２記載の発明は、請求項１記載の発明の効果に加えて、換気部材を通過する気流の速度は上底側より下底側において増加するため、換気部材の遮水性能が効率的に発揮される。
【手続補正１２】
【補正対象書類名】明細書
【補正対象項目名】００２７
【補正方法】変更
【補正の内容】
【００２７】
請求項３記載の発明は、請求項２記載の発明の効果に加えて、塞ぎ部材で支持された部分の棟板部材の強度が向上するため、換気棟の取付状態が安定する。
【手続補正１３】
【補正対象書類名】明細書
【補正対象項目名】００２８
【補正方法】変更
【補正の内容】
【００２８】
請求項４記載の発明は、請求項２又は請求項３記載の発明の効果に加えて、気流による棟板部材からの結露が防止されるため、結露による水滴の落下防止により信頼性が向上する。
【手続補正１４】
【補正対象書類名】明細書
【補正対象項目名】００２９
【補正方法】変更
【補正の内容】
【００２９】
請求項５記載の発明は、請求項１から請求項４のいずれかに記載の発明の効果に加えて、一定要件下における水の浸入が確実に阻止されるため、換気棟の軽量化及びコスト低減に寄与する。
【手続補正１５】
【補正対象書類名】特許請求の範囲
【補正対象項目名】全文
【補正方法】変更
【補正の内容】
【特許請求の範囲】
【請求項１】
垂直下方に延びる外壁と、その頂点側部分に開口が形成された斜め下方に延びる屋根材とを有する片流れ屋根に設置する換気棟であって、
前記屋根材に対して所定距離離れた平行状態で幅方向に向かって斜め下方に延びる、長手方向に平行な換気口が形成された傾斜部と、前記外壁の外方側にシール状態で設置され、前記傾斜部の頂点から垂直下方に延びる垂下部とを有する棟板部材と、
前記傾斜部の下面における前記換気口と前記開口の上方に対応する部分との間に取り付けられ、前記幅方向の断面が四角形形状を有すると共に前記長手方向に延びる棒形状を有し、前記幅方向に一方の側面から他方の側面へ貫通する複数の通気孔を有する換気部材と、
前記換気部材と前記屋根材との間に設けられ、これらの間を遮水するシール手段とを備え、
前記シール手段は、前記換気部材の下面に接するように前記長手方向に延びると共に、その両端部において前記棟板部材から支持されて固定されるプレート部材と、前記プレート部材の下面に設置され、前記長手方向に延びるシール部材とを含み、
前記棟板部材、前記換気部材及び前記シール手段は、一体化状態で前記屋根材に設置される、換気棟。
【請求項２】
前記開口は前記長手方向に延びる矩形形状を有し、
前記開口の前記頂点の側の縁部と前記傾斜部の下面との間のスペースを前記長手方向に沿って塞ぐ塞ぎ部材を更に備え、
前記換気部材は、前記幅方向の断面が台形形状を有し、その上底より長い下底に対応する面が前記傾斜部の下面側に位置するように取り付けられる、請求項１記載の換気棟。
【請求項３】
前記塞ぎ部材は、前記傾斜部の下面を支持する構造を有する、請求項２記載の換気棟。
【請求項４】
前記塞ぎ部材と前記換気部材との間における前記傾斜部の下面に取り付けられた断熱材を更に備えた、請求項２又は請求項３記載の換気棟。
【請求項５】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２３ｍｍである、請求項１から請求項４のいずれかに記載の換気棟。